(57)【要約】      （修正有）【課題】糊付ロールから中芯紙段頂部への糊転位量を適正にして、中芯紙と裏ライナ紙との接着不良をなくすと共に、糊の使用量を節減して低コストを達成する。【解決手段】糊付ロール８を下流側段ロール５と異なった周速度で回転させながら糊付ロール８を下流側段ロール５に接近させ、糊付ロール８の駆動トルクの検出値が設定値より大のときは、糊付ロール８と下流側段ロール５間の第１の隙間σが中芯紙紙厚ｔより大と判定して、第１の隙間σを縮めると共に、糊付ロール８とドクタロール９間の第２の隙間ｄを広げて該糊付着量を増やし、駆動トルクの検出値が設定値より小のときは第１の隙間σが中芯紙紙厚ｔより小と判定して、第１の隙間σを広げると共に、第２の隙間ｄを縮めて該糊付着量を減らすようにして、第１の隙間σを中芯紙紙厚ｔに近づけると共に、中芯紙ｎの段頂部に最適な糊量を糊付けするようにした。【選択図】図１
2009126103.tif 000002
【特許請求の範囲】
【請求項１】
１対の段ロール間を通って波形形成され下流側段ロールに巻回された中芯紙の段頂部に糊付ロールにより糊付けし、該糊付部にライナ紙を貼付けして片面段ボール紙を成型するシングルフェーサの糊付方法において、
糊付ロールを下流側段ロールと異なる周速度で回転させながら糊付ロールの駆動トルクを検出し、
糊付ロールと下流側段ロール間の第１の隙間が最良のときの該駆動トルクの設定値を予め決めておき、駆動トルクの検出値が設定値より大のときは、第１の隙間を狭めると共に、糊付ロールに付着した糊膜を掻き取って糊付着量を調節するドクタロールと糊付ロール間の第２の隙間を広げて糊付ロールの糊付着量を増やし、
該駆動トルクの検出値が設定値より小のときは、第１の隙間を広げると共に、第２の隙間を狭めて該糊付着量を減らすようにし、
駆動トルクの検出値が設定値になった時に第１の隙間及び第２の隙間を固定するようにしたことを特徴とするシングルフェーサの糊付方法。
【請求項２】
１対の段ロール間を通って波形形成され下流側段ロールに巻回された中芯紙の段頂部に糊付ロールにより糊付けし、該糊付部にライナ紙を貼付けして片面段ボール紙を成型するシングルフェーサの糊付方法において、
糊付ロールを下流側段ロールと同一又は異なる周速度で回転させながら糊付ロールの振動を検出し、
糊付ロールと下流側段ロール間の第１の隙間が最良のときの該振動の設定値を予め決めておき、振動検出値が設定値より小のときは、第１の隙間を狭めると共に、糊付ロールに付着した糊膜を掻き取って糊付着量を調節するドクタロールと糊付ロール間の第２の隙間を広げて糊付ロールの糊付着量を増やし、
該振動検出値が設定値より大のときは、第１の隙間を広げると共に、第２の隙間を狭めて該糊付着量を減らすようにし、
該振動検出値が設定値になった時に第１の隙間及び第２の隙間を固定するようにしたことを特徴とするシングルフェーサの糊付方法。
【請求項３】
１対の段ロール間を通って波形形成され下流側段ロールに巻回された中芯紙の段頂部に糊付ロールにより糊付けし、該糊付部にライナ紙を貼付けして片面段ボール紙を成型するシングルフェーサの糊付方法において、
糊付ロールを下流側段ロールと同一又は異なる周速度で回転させながら糊付けロールの中芯紙への糊付部の騒音を検出し、
糊付ロールと下流側段ロール間の第１の隙間が最良のときの該騒音の設定値を予め決めておき、騒音検出値が設定値より小のときは、第１の隙間を狭めると共に、糊付ロールに付着した糊膜を掻き取って糊付着量を調節するドクタロールと糊付ロール間の第２の隙間を広げて糊付ロールの糊付着量を増やし、
該騒音検出値が設定値より大のときは、第１の隙間を広げると共に、第２の隙間を狭めて該糊付着量を減らすようにし、
該騒音検出値が設定値になった時に第１の隙間及び第２の隙間を固定するようにしたことを特徴とするシングルフェーサの糊付方法。
【請求項４】
１対の段ロール間を通って波形形成され下流側段ロールに巻回された中芯紙の段頂部に糊付ロールにより糊付けし、該糊付部にライナ紙を貼付けして片面段ボール紙を成型するシングルフェーサの糊付方法において、
糊付ロールを下流側段ロールと同一又は異なる周速度で回転させながら糊付けロールが下流側段ロールから受ける反力を検出し、
糊付ロールと下流側段ロール間の第１の隙間が最良のときの該反力の設定値を予め決めておき、反力検出値が設定値より小のときは、第１の隙間を狭めると共に、糊付ロールに付着した糊膜を掻き取って糊付着量を調節するドクタロールと糊付ロール間の第２の隙間を広げて糊付ロールの糊付着量を増やし、
該反力検出値が設定値より大のときは、第１の隙間を広げると共に、第２の隙間を狭めて該糊付着量を減らすようにし、
該反力検出値が設定値になった時に第１の隙間及び第２の隙間を固定するようにしたことを特徴とするシングルフェーサの糊付方法。
【請求項５】
１対の段ロール間を通って波形形成され下流側段ロールに巻回された中芯紙の段頂部に糊付ロールにより糊付けし、該糊付部にライナ紙を貼付けして片面段ボール紙を成型するシングルフェーサの糊付方法において、
糊付ロールを下流側段ロールと異なる周速度で回転させながら糊付ロールと下流側段ロールの周速度を検出し、
糊付ロールと下流側段ロールの周速度が異なるときは、糊付ロールと下流側段ロール間の第１の隙間を狭めると共に、糊付ロールに付着した糊膜を掻き取って糊付着量を調節するドクタロールと糊付ロール間の第２の隙間を広げて糊付ロールの糊付着量を増やし、
糊付ロールと下流側段ロールの周速度が同等域となった時に第１の隙間及び第２の隙間を固定するようにしたことを特徴とするシングルフェーサの糊付方法。
【請求項６】
中芯紙を波形状に形成する一対の段ロールと、波形形成され下流側段ロールに巻回された中芯紙の段頂部に糊付けする糊付ロールと、糊付ロールに付着した糊膜を掻き取って糊付着量を調節するドクタロールとを備え、該糊付部にライナ紙を貼付けして片面段ボール紙を成型するシングルフェーサの糊付装置において、
糊付ロールを下流側段ロールに対して接離方向に移動させる第１の移動装置と、ドクタロールを糊付ロールに対して接離方向に移動させる第２の移動装置と、糊付ロールの駆動トルクを検出する検出器と、該駆動トルクの検出値に応じて、糊付ロールと下流側段ロール間の第１の隙間及び糊付ロールとドクタロール間の第２の隙間を調節する制御装置と、を備え、
第１の隙間が最良のときの該駆動トルクの設定値を予め決めておき、該制御装置によって、駆動トルクの検出値が設定値より大のときは、第１の隙間を狭めると共に、第２の隙間を広げて糊付ロールの糊付着量を増やし、該駆動トルクの検出値が設定値より小のときは、第１の隙間を広げると共に、第２の隙間を狭めて該糊付着量を減らすようにし、駆動トルクの検出値が設定値になった時に第１の隙間及び第２の隙間を固定するように構成したことを特徴とするシングルフェーサの糊付装置。
【請求項７】
中芯紙を波形状に形成する一対の段ロールと、波形形成され下流側段ロールに巻回された中芯紙の段頂部に糊付けする糊付ロールと、糊付ロールに付着した糊膜を掻き取って糊付着量を調節するドクタロールとを備え、該糊付部にライナ紙を貼付けして片面段ボール紙を成型するシングルフェーサの糊付装置において、
糊付ロールを下流側段ロールに対して接離方向に移動させる第１の移動装置と、ドクタロールを糊付ロールに対して接離方向に移動させる第２の移動装置と、糊付ロールの振動を検出する検出器と、該振動検出値に応じて、糊付ロールと下流側段ロール間の第１の隙間及び糊付ロールとドクタロール間の第２の隙間を調節する制御装置と、を備え、
第１の隙間が最良のときの該振動の設定値を予め決めておき、該制御装置によって、振動検出値が設定値より小のときは、第１の隙間を狭めると共に、第２の隙間を広げて糊付ロールの糊付着量を増やし、該振動検出値が設定値より大のときは、第１の隙間を広げると共に、第２の隙間を狭めて該糊付着量を減らすようにし、該振動検出値が設定値になった時に第１の隙間及び第２の隙間を固定するように構成したことを特徴とするシングルフェーサの糊付装置。
【請求項８】
中芯紙を波形状に形成する一対の段ロールと、波形形成され下流側段ロールに巻回された中芯紙の段頂部に糊付けする糊付ロールと、糊付ロールに付着した糊膜を掻き取って糊付着量を調節するドクタロールとを備え、該糊付部にライナ紙を貼付けして片面段ボール紙を成型するシングルフェーサの糊付装置において、
糊付ロールを下流側段ロールに対して接離方向に移動させる第１の移動装置と、ドクタロールを糊付ロールに対して接離方向に移動させる第２の移動装置と、糊付けロールの中芯紙への糊付部の騒音を検出する検出器と、該騒音検出値に応じて、糊付ロールと下流側段ロール間の第１の隙間及び糊付ロールとドクタロール間の第２の隙間を調節する制御装置と、を備え、
第１の隙間が最良のときの該騒音の設定値を予め決めておき、該制御装置によって、騒音検出値が設定値より小のときは、第１の隙間を狭めると共に、第２の隙間を広げて糊付ロールの糊付着量を増やし、該騒音検出値が設定値より大のときは、第１の隙間を広げると共に、第２の隙間を狭めて該糊付着量を減らすようにし、騒音検出値が設定値になった時に第１の隙間及び第２の隙間を固定するように構成したことを特徴とするシングルフェーサの糊付装置。
【請求項９】
中芯紙を波形状に形成する一対の段ロールと、波形形成され下流側段ロールに巻回された中芯紙の段頂部に糊付けする糊付ロールと、糊付ロールに付着した糊膜を掻き取って糊付着量を調節するドクタロールとを備え、該糊付部にライナ紙を貼付けして片面段ボール紙を成型するシングルフェーサの糊付装置において、
糊付ロールを下流側段ロールに対して接離方向に移動させる第１の移動装置と、ドクタロールを糊付ロールに対して接離方向に移動させる第２の移動装置と、糊付けロールが下流側段ロールから受ける反力を検出する検出器と、該反力検出値に応じて、糊付ロールと下流側段ロール間の第１の隙間及び糊付ロールとドクタロール間の第２の隙間を調節する制御装置と、を備え、
第１の隙間が最良のときの該反力の設定値を予め決めておき、該制御装置によって、反力検出値が設定値より小のときは、第１の隙間を狭めると共に、第２の隙間を広げて糊付ロールの糊付着量を増やし、該反力検出値が設定値より大のときは、第１の隙間を広げると共に、第２の隙間を狭めて該糊付着量を減らすようにし、反力検出値が設定値になった時に第１の隙間及び第２の隙間を固定するように構成したことを特徴とするシングルフェーサの糊付装置。
【請求項１０】
中芯紙を波形状に形成する一対の段ロールと、波形形成され下流側段ロールに巻回された中芯紙の段頂部に糊付けする糊付ロールと、糊付ロールに付着した糊膜を掻き取って糊付着量を調節するドクタロールとを備え、該糊付部にライナ紙を貼付けして片面段ボール紙を成型するシングルフェーサの糊付装置において、
糊付ロールを下流側段ロールに対して接離方向に移動させる第１の移動装置と、ドクタロールを糊付ロールに対して接離方向に移動させる第２の移動装置と、糊付けロール及び下流側段ロールの周速度を検出する検出器と、
糊付ロールと下流側段ロールの周速度が異なるときは、糊付ロールと下流側段ロール間の第１の隙間が中芯紙の紙厚より大と判定して、第１の隙間を狭めると共に、糊付ロールとドクタロール間の第２の隙間を広げて該糊付着量を増やし、糊付ロールと下流側段ロールの周速度が同等域となった時に第１の隙間及び第２の隙間を固定するように制御する制御装置と、を備えたことを特徴とするシングルフェーサの糊付装置。
【発明の詳細な説明】
【技術分野】
【０００１】
本発明は、糊付ロールの駆動トルク、振動、騒音、押付反力、又は周速度の変動を検出して、糊付ロールの設置位置を自動調節可能にすると共に、糊付ロールの糊付着量を適正量に調節可能として糊付着量を節減可能にしたシングルフェーサの糊付方法及び装置に関する。
【背景技術】
【０００２】
従来のベルト加圧型シングルフェーサを図７及び図８に基づいて説明する。図７はシングルフェーサ０１の側面図、図８は糊付装置０６の平面図である。図７において、矢印ａ方向から搬入された中芯紙ｎを加熱ロール０２に巻回すると共に、加熱盤０３に接触させることにより、中芯紙ｎに１９０℃前後の熱を加えて糊の付着性及び接触性を高めている。加熱された中芯紙ｎは一対の上流側段ロール（下段ロール）０４及び下流側段ロール（上段ロール）０５の噛合部を通過して波形状に形成される。
【０００３】
波形形成された中芯紙ｎは、下流側段ロール０５に巻回された状態で、その段頂部に糊付装置０６で糊付けされる。糊付装置０６は、糊付装置０６のハウジング０６ａによって糊ダム０７が形成され、糊ダム０７に貯留された糊ｇに面して糊付ロール０８が配置されている。糊付ロール０８の表面に付着した糊ｇを中芯紙ｃの段頂部に糊付けする。糊付ロール０８の下方にドクタロール０９が配置され、ドクタロール０９によって糊付ロール０８の表面に付着した糊ｇを掻き取ることによって、糊付ロール０８の糊付着量を調整することができる。ドクタロール０９に付着した糊ｇはスクレーパ０１０で掻き取られる。なお、図７中の各ロールは、図示された矢印の方向に回転する。
【０００４】
図８に示すように、一対のシールプレート０１１によって糊ダム０７の幅方向位置が規定される。シールプレート０１１の基部は、左右でねじ切り方向が逆のオネジ部が形成されたボールネジ０１２に螺合され、ボールネジ０１２を駆動する駆動モータ０１３の回転により、一対のシールプレート０１１は互いに中心から逆方向に移動する。これによって、中芯紙ｎの幅寸法に応じて糊ダム０７の幅ｗを変更可能に構成されている。糊ダム０７の幅ｗは駆動モータ０１１の回転を検知するエンコーダ０１４によって検知される。
【０００５】
糊付装置０６のハウジング０６ａは支軸０１５を中心に回動可能になっており、ハウジング０６ａの一端がシリンダ０１６に接続され、シリンダ０１６によって昇降される。これによって、糊付ロール０８と下流側段ロール０５とが接離可能に構成され、シリンダ１０６のストロークエンド位置で糊付ロール０８と下流側段ロール０５との隙間を中芯紙ｎの紙厚に対応した所定寸法に設定している。
【０００６】
下流側段ロール０５に巻回された状態で段頂部に糊を塗布された中芯紙ｎに対して、矢印ｂ方向から搬入された裏ライナ紙ｕが貼付される。即ち、ベルトロール０１８及び張力ロール０１９に巻回された加圧ベルト０２０が下流側段ロール０５に圧着されるように配置され、裏ライナ紙ｕは加熱ロール０１７に巻回されて加熱された後、下流側段ロール０５と加圧ベルト０２０間に搬入されて中芯紙ｎと圧着される。波形状の中芯紙ｎと裏ライナ紙ｕとが接着されて成型された片面段ボール紙ｋは、次工程の両面段ボール紙の製造工程に送られる。
【０００７】
従来、シングルフェーサにおいて、糊付ロールと下流側段ロールとの隙間は、該隙間が微小隙間であるため、両ロール間の軸芯間距離をギャップセンサで検出して該隙間を演算し、この値により該両ロール間隙間の調整を行なっていた。しかし、この方式では、これらのロールの温度変化及びシングルフェーサのフレームの温度変化に伴う熱膨張により、実際の隙間と計測隙間との間に差異を生じていた。
【０００８】
特許文献１及び特許文献２には、オーダチェンジに伴う中芯紙紙厚の変更等に際し、糊付ロールから下流側段ロールに転移される糊量を一定にするため、糊付ロールと下流側段ロール間の隙間を他のパラメータから検出して、該隙間を自動調節可能とした手段が開示されている。
【０００９】
特許文献１（特許第２６０７８６２号公報）の発明は、オーダチェンジに伴う中芯紙の紙厚の変更に際して、糊付ロールを下流側段ロールと異なる周速度で回転させ、糊付ロールを下流側段ロールに向かって接近させ、糊付ロールの周速度が変動したときをもって糊付ロールの移動を停止させることにより、糊付ロールと下流側段ロールとの隙間が略中芯紙の紙厚になるように調整するものである。
【００１０】
また、特許文献２（特許第２８３７１２６号公報）の発明は、糊付ロールの振動、騒音、駆動トルク又は糊付ロールが下流側段ロールから受ける押付反力を検出しながら、糊付ロールを下流側段ロールと同一又は異なる周速度で回転させ、糊付ロールを下流側段ロールに近づけていき、これら検出値が変動したときをもって糊付ロールの移動を停止させることにより、糊付ロールと下流側段ロールとの隙間が略中芯紙の紙厚になるように調整したものである。
【００１１】
【特許文献１】特許第２６０７８６２号公報
【特許文献２】特許第２８３７１２６号公報
【発明の開示】
【発明が解決しようとする課題】
【００１２】
特許文献１又は特許文献２に開示された手段により、中芯紙の厚紙から薄紙までのオーダチェンジに際して、糊付ロールと下流側段ロール間の隙間調整が自動化可能になった。しかし、現状、糊付ロールとドクタロール間の隙間寸法によっても糊付ロールに付着する糊付着量が変わってくる。現状、糊付ロールとドクタロール間の隙間調節は、中芯紙の搬送速度や坪量（密度）に応じて段階的にマトリックス表をつくり、このマトリックス表に基づいて行なわれている。例えば、糊付ロールとドクタロール間の隙間を０．１５〜０．５５ｍｍの範囲で、中芯紙の搬送速度と坪量に応じて段階的に調節している。
【００１３】
しかし、この方式では、ラフな隙間調節しかできず、糊付ロールの糊付着量を適正に調整することができない。また、前記したように、各ロールの温度変化やフレームの温度変化に伴う熱膨張による糊付ロールとドクタロール間の隙間変動に対応できないと共に、段ボール原紙の搬送速度や中芯紙の坪量に応じた隙間調節には対応できない。従って、糊付ロールから中芯紙段頂部への糊の転位量にばらつきが生じ、中芯紙と裏ライナ紙との接着が不良になったり、あるいは余分な糊量になったりするという問題が生じる。
【００１４】
このため、糊転位量の不足を生じないように糊付ロールとドクタロールとの隙間を余裕をもって大目に設定しているので、糊が下流側段ロールに余分に転位し、ランニングコストが高くなるという問題がある。
【００１５】
本発明は、かかる従来技術の課題に鑑み、糊付ロールと下流側段ロール間の隙間調節のみならず、糊付ロールとドクタロール間の隙間調節を適正に行なうことによって、中芯紙と裏ライナ紙との接着不良をなくすと共に、余分な糊の使用量を節減してランニングコストを低減することを目的とする。
【課題を解決するための手段】
【００１６】
前記目的を達成するため、第１の本発明のシングルフェーサの糊付方法は、
１対の段ロール間を通って波形形成され下流側段ロールに巻回された芯紙の段頂部に糊付ロールにより糊付けし、該糊付部にライナ紙を貼付けして片面段ボール紙を成型するシングルフェーサの糊付方法において、
糊付ロールを下流側段ロールと異なる周速度で回転させながら糊付ロールの駆動トルクを検出し、
糊付ロールと下流側段ロール間の第１の隙間が最良のときの該駆動トルクの設定値を予め決めておき、駆動トルクの検出値が設定値より大のときは、第１の隙間を狭めると共に、糊付ロールに付着した糊膜を掻き取って糊付着量を調節するドクタロールと糊付ロール間の第２の隙間を広げて糊付ロールの糊付着量を増やし、
該駆動トルクの検出値が設定値より小のときは、第１の隙間を広げると共に、第２の隙間を狭めて該糊付着量を減らすようにし、
駆動トルクの検出値が設定値になった時に第１の隙間及び第２の隙間を固定するようにしたものである。
【００１７】
そして、第１の本発明方法を実施するための第１の本発明のシングルフェーサの糊付装置は、
中芯紙を波形状に形成する一対の段ロールと、波形形成され下流側段ロールに巻回された中芯紙の段頂部に糊付けする糊付ロールと、糊付ロールに付着した糊膜を掻き取って糊付着量を調整するドクタロールとを備え、該糊付部にライナ紙を貼付けして片面段ボール紙を成型するシングルフェーサの糊付装置において、
糊付ロールを下流側段ロールに対して接離方向に移動させる第１の移動装置と、ドクタロールを糊付ロールに対して接離方向に移動させる第２の移動装置と、糊付ロールの駆動トルクを検出する検出器と、該駆動トルクの検出値に応じて、糊付ロールと下流側段ロール間の第１の隙間及び糊付ロールとドクタロール間の第２の隙間を調節する制御装置と、を備え、
第１の隙間が最良のときの該駆動トルクの設定値を予め決めておき、該制御装置によって、駆動トルクの検出値が設定値より大のときは、第１の隙間を狭めると共に、第２の隙間を広げて糊付ロールの糊付着量を増やし、該駆動トルクの検出値が設定値より小のときは、第１の隙間を広げると共に、第２の隙間を狭めて該糊付着量を減らすようにし、駆動トルクの検出値が設定値になった時に第１の隙間及び第２の隙間を固定するように構成したものである。
【００１８】
第１の本発明では、糊付ロールと下流側段ロール間の隙間の大きさによって糊付ロールの駆動トルクが変動することに着目したものである。そのため、糊付ロールと下流側段ロール間の第１の隙間が最良のとき、即ち、中芯紙の紙厚（通常１５０〜２００μｍ）と中芯紙に塗布される適正な糊膜厚との合計値（略中芯紙紙厚より微小値だけ大）になった時の糊付ロールの駆動トルク値を予め設定値として決めておく。
【００１９】
そして、糊付ロールを下流側段ロールと異なる周速度で回転させながら糊付ロールの駆動トルクを検出し、制御装置により前記の操作（駆動トルクの検出値が設定値より大のときは、第１の隙間を狭めると共に、第２の隙間を広げて糊付ロールの糊付着量を増やし、該駆動トルクの検出値が設定値より小のときは、第１の隙間を広げると共に、第２の隙間を狭めて該糊付着量を減らすようにする。）を行いながら、該駆動トルクが設定値になった時に第１の隙間及び第２の隙間を固定する。これによって、第１の隙間及び第２の隙間を、中芯紙を破断させずかつ中芯紙への最適な糊転位量を可能とする値にすることができる。なお、第１の隙間又は第２の隙間は、数１０μｍオーダで微調節される。
【００２０】
このように、糊付ロールの駆動トルクを検出し、この検出値をパラメータとして、第１の隙間及び第２の隙間を同時に調節することで、中芯紙の破断のおそれを排除すると共に、下流側段ロールへの糊転位量を適正にして、中芯紙と裏ライナ紙との接着性能を良好にすることができる。従って、糊を下流側段ロールに余分に転移させる必要がないので、糊使用量を低減してランニングコストを低減できる。
【００２１】
そして、第１の隙間及び第２の隙間調整を自動化できると共に、隙間センサ等トルク検出器以外の余分なセンサの設置が不要となるので、設備の簡略化、コスト低減を達成でき、またメンテナンスを容易にすることができる。
また、パラメータとして糊付ロールの駆動トルクを検出しており、該駆動トルクを極めて高精度に検出できるので、第１の隙間及び第２の隙間の調節を高精度に行なうことができる。
【００２２】
第２の本発明のシングルフェーサの糊付方法は、
１対の段ロール間を通って波形形成され下流側段ロールに巻回された中芯紙の段頂部に糊付ロールにより糊付けし、該糊付部にライナ紙を貼付けして片面段ボール紙を成型するシングルフェーサの糊付方法において、
糊付ロールを下流側段ロールと同一又は異なる周速度で回転させながら糊付ロールの振動を検出し、
糊付ロールと下流側段ロール間の第１の隙間が最良のときの該振動の設定値を予め決めておき、振動検出値が設定値より小のときは、第１の隙間を狭めると共に、糊付ロールに付着した糊膜を掻き取って糊付着量を調節するドクタロールと糊付ロール間の第２の隙間を広げて糊付ロールの糊付着量を増やし、
該振動検出値が設定値より大のときは、第１の隙間を広げると共に、第２の隙間を狭めて該糊付着量を減らすようにし、
該振動検出値が設定値になった時に第１の隙間及び第２の隙間を固定するようにしたものである。
【００２３】
そして、第２の本発明方法を実施するための第２の本発明のシングルフェーサの糊付装置は、
中芯紙を波形状に形成する一対の段ロールと、波形形成され下流側段ロールに巻回された中芯紙の段頂部に糊付けする糊付ロールと、糊付ロールに付着した糊膜を掻き取って糊付着量を調整するドクタロールとを備え、該糊付部にライナ紙を貼付けして片面段ボール紙を成型するシングルフェーサの糊付装置において、
糊付ロールを下流側段ロールに対して接離方向に移動させる第１の移動装置と、ドクタロールを糊付ロールに対して接離方向に移動させる第２の移動装置と、糊付ロールの振動を検出する検出器と、該振動検出値に応じて、糊付ロールと下流側段ロール間の第１の隙間及び糊付ロールとドクタロール間の第２の隙間を調節する制御装置と、を備え、
第１の隙間が最良のときの該振動の設定値を予め決めておき、該制御装置によって、振動検出値が設定値より小のときは、第１の隙間を狭めると共に、第２の隙間を広げて糊付ロールの糊付着量を増やし、該振動検出値が設定値より大のときは、第１の隙間を広げると共に、第２の隙間を狭めて該糊付着量を減らすようにし、該振動検出値が設定値になった時に第１の隙間及び第２の隙間を固定するように構成したものである。
【００２４】
第２の本発明では、糊付ロールの振動と第１の隙間とに相関関係があることを利用したものである。そのため、第１の隙間が最良のときの該振動の設定値を予め決めておく。そして、糊付ロールを下流側段ロールと異なる周速度又は同一の周速度で回転させながら糊付ロールの振動を検出し、前記操作（振動検出値が設定値より小のときは、第１の隙間を狭めると共に、第２の隙間を広げて糊付ロールの糊付着量を増やし、該振動検出値が設定値より大のときは、第１の隙間を広げると共に、第２の隙間を狭めて該糊付着量を減らすようにする。）を行なって、該振動検出値が設定値になった時に第１の隙間及び第２の隙間を固定する。
【００２５】
このように、糊付ロールの振動を検出し、この検出値をパラメータとして、第１の隙間及び第２の隙間を同時に調節することで、中芯紙の破断のおそれを排除すると共に、下流側段ロールへの糊転位量を適正にできるので、中芯紙と裏ライナ紙との接着性能を良好にすることができる。従って、糊を下流側段ロールに余分に転移させる必要がなくなるため、糊使用量を低減して、ランニングコストを低減できる。
【００２６】
そして、第１の隙間及び第２の隙間調整を自動化できると共に、隙間センサ等、振動検出器以外の余分なセンサの設置が不要となるので、設備の簡略化、コスト低減を達成でき、またメンテナンスを容易にすることができる。
なお、糊付ロールの振動を検出することで、比較的精度良く隙間調節が可能であり、また、振動検出器は、第１の本発明のトルク検出器と比べて、簡易な構成とすることができ、第１の本発明と比べて一層の低コスト化を可能とする。
【００２７】
第３の本発明のシングルフェーサの糊付方法は、
１対の段ロール間を通って波形形成され下流側段ロールに巻回された芯紙の段頂部に糊付ロールにより糊付けし、該糊付部にライナ紙を貼付けして片面段ボール紙を成型するシングルフェーサの糊付方法において、
糊付ロールを下流側段ロールと同一又は異なる周速度で回転させながら糊付けロールの中芯紙への糊付部の騒音を検出し、
糊付ロールと下流側段ロール間の第１の隙間が最良のときの該騒音の設定値を予め決めておき、騒音検出値が設定値より小のときは、第１の隙間を狭めると共に、糊付ロールに付着した糊膜を掻き取って糊付着量を調節するドクタロールと糊付ロール間の第２の隙間を広げて糊付ロールの糊付着量を増やし、
該騒音検出値が設定値より大のときは、第１の隙間を広げると共に、第２の隙間を狭めて該糊付着量を減らすようにし、
該騒音検出値が設定値になった時に第１の隙間及び第２の隙間を固定するようにしたものである。
【００２８】
そして、第３の本発明方法を実施するための第３の本発明のシングルフェーサの糊付装置は、
中芯紙を波形状に形成する一対の段ロールと、波形形成され下流側段ロールに巻回された中芯紙の段頂部に糊付けする糊付ロールと、糊付ロールに付着した糊膜を掻き取って糊付着量を調整するドクタロールとを備え、該糊付部にライナ紙を貼付けして片面段ボール紙を成型するシングルフェーサの糊付装置において、
糊付ロールを下流側段ロールに対して接離方向に移動させる第１の移動装置と、ドクタロールを糊付ロールに対して接離方向に移動させる第２の移動装置と、糊付けロールの中芯紙への糊付部の騒音を検出する検出器と、該騒音検出値に応じて、糊付ロールと下流側段ロール間の第１の隙間及び糊付ロールとドクタロール間の第２の隙間を調節する制御装置と、を備え、
第１の隙間が最良のときの該騒音の設定値を予め決めておき、該制御装置によって、騒音検出値が設定値より小のときは、第１の隙間を狭めると共に、第２の隙間を広げて糊付ロールの糊付着量を増やし、該騒音検出値が設定値より大のときは、第１の隙間を広げると共に、第２の隙間を狭めて該糊付着量を減らすようにし、騒音検出値が設定値になった時に第１の隙間及び第２の隙間を固定するように構成したものである。
【００２９】
第３の本発明では、糊付けロールの中芯紙への糊付部の騒音の大きさが第１の隙間と相関関係があることを利用したものである。即ち、第１の隙間が最良のときの該騒音の設定値を予め決めておく。そして、糊付ロールを下流側段ロールと異なる周速度又は同一の周速度で回転させながら該糊付部の騒音を検出し、前記操作（騒音検出値が設定値より小のときは、第１の隙間を狭めると共に、第２の隙間を広げて糊付ロールの糊付着量を増やし、該騒音検出値が設定値より大のときは、第１の隙間を広げると共に、第２の隙間を狭めて該糊付着量を減らすようにする。）を行って、該騒音検出値が設定値になった時に第１の隙間及び第２の隙間を固定する。
【００３０】
このように、糊付ロールの中芯紙への糊付部の騒音を検出し、この検出値をパラメータとして、第１の隙間及び第２の隙間を同時に調節することで、中芯紙の破断のおそれを排除すると共に、下流側段ロールへの糊転位量を適正にできるので、中芯紙と裏ライナ紙との接着性能を良好にすることができる。従って、糊を中芯紙段頂部に余分に転移させる必要がなくなるため、糊使用量を低減して、ランニングコストを低減できる。
【００３１】
そして、第１の隙間及び第２の隙間調整を自動化できると共に、隙間センサ等騒音検出器以外の余分なセンサの設置が不要となるので、設備の簡略化、コスト低減を達成でき、またメンテナンスを容易にすることができる。
なお、騒音検出器は、第１の本発明のトルク検出器と比べて、簡易な構成とすることができ、第１の本発明と比べて一層の低コスト化を可能とする。
【００３２】
第４の本発明のシングルフェーサの糊付方法は、
１対の段ロール間を通って波形形成され下流側段ロールに巻回された芯紙の段頂部に糊付ロールにより糊付けし、該糊付部にライナ紙を貼付けして片面段ボール紙を成型するシングルフェーサの糊付方法において、
糊付ロールを下流側段ロールと同一又は異なる周速度で回転させながら糊付けロールが下流側段ロールから受ける反力を検出し、
糊付ロールと下流側段ロール間の第１の隙間が最良のときの該反力の設定値を予め決めておき、反力検出値が設定値より小のときは、第１の隙間を狭めると共に、糊付ロールに付着した糊膜を掻き取って糊付着量を調節するドクタロールと糊付ロール間の第２の隙間を広げて糊付ロールの糊付着量を増やし、
該反力検出値が設定値より大のときは、第１の隙間を広げると共に、第２の隙間を狭めて該糊付着量を減らすようにし、
該反力検出値が設定値になった時に第１の隙間及び第２の隙間を固定するようにしたものである。
【００３３】
そして、第４の本発明方法を実施するための第４の本発明のシングルフェーサの糊付装置は、
中芯紙を波形状に形成する一対の段ロールと、波形形成され下流側段ロールに巻回された中芯紙の段頂部に糊付けする糊付ロールと、糊付ロールに付着した糊膜を掻き取って糊付着量を調整するドクタロールとを備え、該糊付部にライナ紙を貼付けして片面段ボール紙を成型するシングルフェーサの糊付装置において、
糊付ロールを下流側段ロールに対して接離方向に移動させる第１の移動装置と、ドクタロールを糊付ロールに対して接離方向に移動させる第２の移動装置と、糊付けロールが下流側段ロールから受ける反力を検出する検出器と、該反力検出値に応じて、糊付ロールと下流側段ロール間の第１の隙間及び糊付ロールとドクタロール間の第２の隙間を調節する制御装置と、を備え、
第１の隙間が最良のときの該反力の設定値を予め決めておき、該制御装置によって、反力検出値が設定値より小のときは、第１の隙間を狭めると共に、第２の隙間を広げて糊付ロールの糊付着量を増やし、該反力検出値が設定値より大のときは、第１の隙間を広げると共に、第２の隙間を狭めて該糊付着量を減らすようにし、反力検出値が設定値になった時に第１の隙間及び第２の隙間を固定するように構成したものである。
【００３４】
第４の本発明では、糊付けロールが下流側段ロールから受ける反力と第１の隙間とに相関関係があることを利用したものである。即ち、第１の隙間が最良のときの該反力の設定値を予め決めておく。そして、糊付ロールを下流側段ロールと同一又は異なる周速度で回転させながら該反力を検出し、前記操作（反力検出値が設定値より小のときは、第１の隙間を狭めると共に、第２の隙間を広げて糊付ロールの糊付着量を増やし、該反力検出値が設定値より大のときは、第１の隙間を広げると共に、第２の隙間を狭めて該糊付着量を減らすようにする。）を行って、該反力検出値が設定値になった時に第１の隙間及び第２の隙間を固定する。
【００３５】
このように、糊付ロールが下流側段ロールから受ける反力を検出し、この検出値をパラメータとして、第１の隙間及び第２の隙間を同時に調節することで、中芯紙の破断のおそれを排除すると共に、糊付ロールから中芯紙への糊転位量を適正にできるので、中芯紙と裏ライナ紙との接着性能を良好にすることができる。従って、糊を中芯紙段頂部に余分に転移させる必要がなくなるため、糊使用量を低減して、ランニングコストを低減できる。
【００３６】
そして、第１の隙間及び第２の隙間調整を自動化できると共に、隙間センサ等反力検出器以外の余分なセンサの設置が不要となるので、設備の簡略化、コスト低減を達成でき、またメンテナンスを容易にすることができる。
なお、反力検出器は、第１の本発明のトルク検出器と比べて、簡易な構成とすることができ、第１の本発明と比べて一層の低コスト化を可能とする。
【００３７】
第５の本発明のシングルフェーサの糊付方法は、
１対の段ロール間を通って波形形成され下流側段ロールに巻回された中芯紙の段頂部に糊付ロールにより糊付けし、該糊付部にライナ紙を貼付けして片面段ボール紙を成型するシングルフェーサの糊付方法において、
糊付ロールを下流側段ロールと異なる周速度で回転させながら糊付ロールと下流側段ロールの周速度を検出し、
糊付ロールと下流側段ロールの周速度が異なるときは、糊付ロールと下流側段ロール間の第１の隙間を狭めると共に、糊付ロールに付着した糊膜を掻き取って糊付着量を調節するドクタロールと糊付ロール間の第２の隙間を広げて糊付ロールの糊付着量を増やし、
糊付ロールと下流側段ロールの周速度が同等域となった時に第１の隙間及び第２の隙間を固定するようにしたものである。
【００３８】
そして、第５の本発明方法を実施するための第５の本発明のシングルフェーサの糊付装置は、
中芯紙を波形状に形成する一対の段ロールと、波形形成され下流側段ロールに巻回された中芯紙の段頂部に糊付けする糊付ロールと、糊付ロールに付着した糊膜を掻き取って糊付着量を調整するドクタロールとを備え、該糊付部にライナ紙を貼付けして片面段ボール紙を成型するシングルフェーサの糊付装置において、
糊付ロールを下流側段ロールに対して接離方向に移動させる第１の移動装置と、ドクタロールを糊付ロールに対して接離方向に移動させる第２の移動装置と、糊付けロール及びが下流側段ロールの周速度を検出する検出器と、
糊付ロールと下流側段ロールの周速度が異なるときは、糊付ロールと下流側段ロール間の第１の隙間が芯紙の紙厚より大と判定して、第１の隙間を狭めると共に、糊付ロールとドクタロール間の第２の隙間を広げて該糊付着量を増やし、糊付ロールと下流側段ロールの周速度が同等域となった時に第１の隙間及び第２の隙間を固定するように制御する制御装置と、を備えたものである。
【００３９】
第５の本発明では、糊付けロール及び下流側段ロールの周速度を検出し、両ロールの周速度が同等域になった時をもって第１の隙間及び第２の隙間を固定するようにしているため、第１の隙間が最良値、即ち、中芯紙紙厚と下流側段ロールに形成される適正な糊膜厚との合計値になるように調整可能であり、かつ第２の隙間を下流側段ロールへの糊転位量が適正になるように調整することができる。
【００４０】
このようにして、第１の隙間及び第２の隙間を同時に調節することで、中芯紙の破断のおそれを排除すると共に、糊付ロールから中芯紙段頂部への糊転位量を適正にできるので、中芯紙と裏ライナ紙との接着性能を良好にすることができる。従って、糊を中芯紙に余分に転移させる必要がなくなるため、糊使用量を低減して、ランニングコストを低減できる。
【００４１】
そして、第１の隙間及び第２の隙間調整を自動化できると共に、隙間センサ等、糊付ロール及び下流側段ロールの周速度検出器以外の余分なセンサの設置が不要となるので、設備の簡略化、コスト低減を達成でき、またメンテナンスを容易にすることができる。
なお、周速度検出器は、振動検出器、騒音検出器又は反力検出器と比べて、さらに簡易な構成とすることができ、さらなる低コストを可能とする。
【発明の効果】
【００４２】
第１〜第５の本発明によれば、糊付ロールの駆動トルク、糊付ロールの振動、糊付ロールの中芯紙への糊付部の騒音、糊付ロールが下流側段ロールから受ける反力、又は糊付ロール及び下流側段ロールの周速度をパラメータとして、糊付ロールと下流側段ロール間の第１の隙間及び糊付ロールとドクタロール間の第２の隙間を調整するようにしているので、芯紙を破断させるおそれなく、かつ糊付ロールから中芯紙段頂部に転位させる糊量を適正にできるので、糊使用量を低減してコスト低減を可能とする。
【００４３】
また、第１の隙間及び第２の隙間調整をオンラインで自動化できると共に、隙間センサ等、余分なセンサの設置が不要となるので、設備の簡略化、コスト低減を達成できると共に、メンテナンスを容易にすることができる。
【発明を実施するための最良の形態】
【００４４】
以下、本発明を図に示した実施形態を用いて詳細に説明する。但し、この実施形態に記載されている構成部品の寸法、材質、形状、その相対配置などは特に特定的な記載がない限り、この発明をそれのみに限定する趣旨ではない。
【００４５】
（実施形態１）
第１の本発明の一実施形態を図１及び図２に基づいて説明する。図１は本実施形態のシングルフェーサ１の側面図、図２は図１の一部拡大図である。図１において、中芯紙ｎが図示しない加熱ロールや加熱盤で加熱された後、矢印ａ方向から搬入され、上流側段ロール（下段ロール）４と下流側段ロール（上段ロール）５との噛合部を通る。上流側段ロール４と下流側段ロール５の噛合面には波形が形成されているため、ここで中芯紙ｎは波形に形成される。
【００４６】
波形となった中芯紙ｎは、下流側段ロール５に巻回された状態で糊付ロール８と接触して段頂部に糊が塗布される。一方、裏ライナ紙ｕが図示しない加熱ロールで加熱された後、矢印ｂ方向から搬入され、加圧ベルト２０と下流側段ロール５間に挿入されて、中芯紙ｎと重ね合わされて加圧される。加圧ベルト２０はベルトロール１８とストレッチロール１９に巻回されて上段ロール５の周面に圧接されながら移動するように構成されている。なお、各ロールは、夫々矢印方向に回転する。
【００４７】
ストレッチロール１９がベルトロール１８に対して接離方向に移動可能に配置されている。そして、ストレッチロール１９の位置を調整することによって、加圧ベルト２０の下流側段ロール５に対する張力を調節可能とし、これによって、中芯紙ｎ及び裏ライナ紙ｕに付加される加圧力を調整可能としている。中芯紙ｎ及び裏ライナ紙ｕは、加圧ベルト２０と下流側段ロール５間を通って圧着され、片面段ボール紙ｋに成型される。片面段ボール紙ｋは、矢印ｃ方向に排出され、両面段ボール紙を製造するために図示しない次工程の製造ラインに送られる。
【００４８】
下流側段ロール５の側方には、糊付ロール８を含む糊付装置６が配置されている。糊付ロール８が糊ダム７に貯留された糊ｇに接するように配置され、糊付ロール８の下方には、糊付ロール８表面に付着した糊ｇを掻き取って付着量を調整可能とするドクタロール９が配置されている。また、ドクタロール９に隣接されてドクタロール９の表面に付着した糊ｇを掻き取るスクレーパ１０が配置されている。以上説明したシングルフェーサ１の機械的構成は、図７及び図８に示す従来のシングルフェーサと同一である。図１中、図７及び図８中の部材又は機器と同一構成の部材又は機器は、図７又は図８中で付した符号から頭のゼロを取り去った符号を付している。
【００４９】
糊付ロール８には、糊付ロール８を水平方向に平行移動させるアクチュエータ２１が設けられ、ドクタロール９には、ドクタロール９を水平方向に平行移動させるアクチュエータ２２が設けられている。これらアクチュエータ２１及び２２の構成は、従来公知であり、公知のアクチュエータを使用すればよい。これによって、糊付ロール８と下流側段ロール５間の隙間σ、及び糊付ロール８とドクタロール９間の隙間ｄを微調整することができる。なお、特許文献１又は特許文献２に添付された図面に図示されているように、糊付ロール８が設置されたハウジング全体を移送させるようにし、ドクタロール１０のみを相対移動可能に構成してもよい。
【００５０】
隙間σ＜中芯紙紙厚ｔとなると、中芯紙ｎが破断するおそれがあり、隙間σ＞中芯紙紙厚ｔの場合は、中芯紙ｎの段頂部に必要量の糊が塗布されず、裏ライナ紙ｕとの接着力が弱くなる。従って、隙間σの最良値は、中芯紙紙厚ｔと中芯紙ｎに塗布される最適な糊膜厚との合計値にする必要がある。なお、中芯紙ｎに塗布される糊膜厚は微小なので、実質的には、中芯紙紙厚ｔと略同等とすればよい。また、隙間ｄが大であると、糊付ロール８の糊付着量が増し、隙間ｄが小であると、糊付ロール８の糊付着量が減るので、隙間ｄを調整して、糊付ロール８の糊付着量を適正量とする必要がある。
【００５１】
糊付ロール８を単独に回転させる駆動モータ２３には、駆動モータ２３に負荷されるトルクを検出する検出器２４が取り付けられている。また、糊付ロール８の周速度ｖ１を検出する検出器２５が設けられていると共に、下流側段ロール５の周速度ｖ２を検出する検出器２６が設けられている。そして、コントローラ２７で、トルク検出器２４、周速度ｖ１検出器２５及び周速度ｖ２検出器２６の検出信号を入力し、これらの検出値に基づいてアクチュエータ２１又は２２を制御することにより、隙間σ又は隙間ｄを調節するようにしている。
【００５２】
かかる構成の本実施形態において、以下、隙間σ及び隙間ｄを自動調整する手順を図２により説明する。隙間σ又は隙間ｄと駆動モータ２３の駆動トルク値とは相関関係がある。従って、まず、隙間σが、中芯紙ｎの破断のおそれなくかつ中芯紙ｎへの糊転位量を最適する最良値となるときの駆動モータ２３の駆動トルク値を予め設定値と決めておく。
【００５３】
図２において、糊付ロール８と下流側段ロール５とをある程度離しておき、即ち、隙間σ＞中芯紙紙厚ｔとしておき、糊付ロール８と下流側段ロール５の周速度を異ならせて回転させる。即ち、ｖ１＞ｖ２又はｖ１＜ｖ２の状態で回転させる。両ロールの周速度が同じでは駆動モータ２３が上段ロール５に接触しても糊付ロール８の駆動トルクが変動しない。従って、糊付ロール８と下流側段ロール５の周速度を異ならせた状態で回転させながら、糊付ロール８の駆動トルクを検出する。
【００５４】
図２（ａ）の状態の時、即ち、隙間σ＞中芯紙紙厚ｔの時は、駆動トルク検出値＞設定値となる。そのため、糊付ロール８を図１中の矢印Ａ方向に移動させる。同時に、ドクタロール１０を矢印Ｂ方向に移動させて、隙間ｄを広げる。これによって、糊付ロール８の糊付着量を増やすように調整される。
【００５５】
図２（ｂ）の状態、即ち、隙間σ≦中芯紙紙厚ｔで、糊付ロール８が中芯紙ｎに接触した場合、中芯紙ｎにより糊付ロール８に回転トルクが与えられるので、駆動モータ２３の駆動トルク検出値は下がり、駆動トルク設定値＜設定値となる。この時は、糊付ロール８を矢印Ｂ方向に移動させて中芯紙ｎから離すと同時に、ドクタロール９を矢印Ａ方向に移動させて隙間ｄを狭める。これによって、糊付ロール８の糊付着量を減らすように調節される。このような操作を行なって、駆動トルク検出値＝設定値となった時に、隙間σ及び隙間ｄを固定する。
【００５６】
かかる操作を行なうことによって、隙間σが略中芯紙紙厚ｔとなる最良値で固定され、隙間ｄも中芯紙ｎに最適な糊転位量を塗布できる値で固定される。なお、隙間σの設定値はある範囲をもうけてもよい。一例として、中芯紙紙厚ｔは、例えば１５０〜２００μｍであり、糊付ロール８の移動量は数１０μｍのオーダである。
【００５７】
本実施形態によれば、駆動モータ２３に負荷される駆動トルクを検出して、隙間σ及び隙間ｄを中芯紙ｎの破断のおそれをなくし、かつ適正量の糊を中芯紙ｎに転位することができる。しかも、この操作を自動化できるので、作業員が熟練していなくてもこの操作が可能となる。また、オーダチェンジに伴う中芯紙紙厚ｔの変更があっても迅速に隙間σ及び隙間ｄの調整を行なうことができる。また、隙間センサ等の余分なセンサを不要とするため、設備を簡略化でき、そのため、コストを低減でき、メンテナンスを容易にすることができる。
【００５８】
また、中芯紙ｎへの糊転位量を適正量とすることができるので、糊使用量を低減できる。そのため、ランニングコストを低減できる。例えば、糊使用量を中芯紙１ｍ２当り３ｇ／ｍ２を低減した場合のランニングコスト試算結果を以下に示す。状の糊使用量が７３ｇ／ｍ２から４３ｇ／ｍ２に低減でき、糊単価を０．１円／ｇ、段ボールシートの平均生産量を３００ｍ２／月とすると、９０万円／月、１，０１８万円／年のランニングコスト低減を達成できる。
【００５９】
また、本実施形態によれば、隙間σ及び隙間ｄを検出するパラメータとして、駆動モータ２３の駆動トルクは高精度に検出できる。従って、隙間σ及び隙間ｄを高精度に調整可能となり、最適な糊転位量に調節可能となる。
【００６０】
（実施形態２）
次に、第２の本発明の一実施形態を図３に基づいて説明する。図３において、図１と同一符号を付した部材又は機器は、図１と同一の部材又は機器であるので、これら部材又は機器の説明を省略する。本実施形態では、前記第１実施形態と比べて、駆動モータ２３の駆動トルクを検出する検出器２４の代わりに、糊付ロール８の振動を検出する振動検出器３１を設けている。振動検出器３１は糊付ロール８の回転軸に設けられて、糊付ロール８の振動を検出している。
【００６１】
そして、コントローラ３０で、振動検出器３１、周速度ｖ１検出器２５及び周速度ｖ２検出器２６の検出信号を入力し、これらの検出値に基づいてアクチュエータ２１又は２２を制御することにより、隙間σ又は隙間ｄを調整するようにしている。
【００６２】
以下、本実施形態において、隙間σ及び隙間ｄを自動調整する手順を説明する。まず、隙間σ又は隙間ｄと糊付ロール８の振動と相関関係があり、まず、隙間σが中芯紙紙厚ｔと中芯紙ｎに塗布される最適な糊膜厚との合計値となり、中芯紙ｎに最適量の糊転位量を与えることができる時の振動値を設定値としておく。そして、隙間σ＞中芯紙紙厚ｔの状態で、糊付ロール８と下流側段ロール５とを異なる周速度又は同一の周速度で矢印で示す方向に回転する。
【００６３】
次に、振動検出値が該設定値と同一になるように、隙間σ及び隙間ｄを調節する。即ち、隙間σ＞中芯紙紙厚ｔの時は、振動検出値＜設定値となるため、隙間σを狭めると共に、隙間ｄを広げる。逆に、隙間σ＜中芯紙紙厚ｔの時は、振動検出値＞設定値となるため、隙間σを広げると共に、隙間ｄを狭める。
このようにして、振動検出値＝設定値となるように操作する。これによって、隙間σが略中芯紙紙厚ｔとなりように設定でき、隙間ｄも中芯紙ｎへの糊転位量が最適となるように調節することができる。
【００６４】
これによって、前記実施形態１と同等の作用効果を得ることができる。なお、振動検出器３１は、トルク検出器と比べて簡易な構造であるので、一層の設備の簡略化と低コスト化を可能とする。
【００６５】
(実施形態３)
次に、第３の本発明の一実施形態を図４に基づいて説明する。図４において、図１と同一符を付した部材又は機器は、図１と同一であるので、これら部材又は機器の説明を省略する。本実施形態では、糊付ロール８と下流側段ロール５間に挟まれた中芯紙ｎへの糊付部ｆの騒音を検出する騒音検出器４１を設けている。そして、コントローラ４０で、騒音検出器４１、周速度ｖ１検出器２５及び周速度ｖ２検出器２６の検出信号を入力し、これらの検出値に基づいてアクチュエータ２１又は２２を制御することにより、隙間σ又は隙間ｄを調整するようにしている。
【００６６】
本実施形態の隙間σ及び隙間ｄを自動調整する手順は、前記実施形態２と略同一である。即ち、隙間σと糊付部ｆから発生する騒音とは相関関係があり、まず、中芯紙ｎの破断がなく、かつ中芯紙ｎに最適な糊転位量を与えることができる時の隙間σに対応する該騒音値を設定値とする。そして、隙間σ＞中芯紙紙厚ｔの状態で、糊付ロール８と下流側段ロール５とを異なる又は同一の周速度で回転させる。その後は、前記実施形態２と同一の操作で隙間σ及び隙間ｄを調節する。
【００６７】
隙間σ＞中芯紙紙厚ｔの時は、騒音検出値が該設定値より小さい。このときは、隙間σを狭め、同時に隙間ｄを広げる。一方、隙間σ≦中芯紙紙厚ｔの時、糊付ロール８が中芯紙ｎに接触するため、糊付部ｆの騒音検出値＞設定値となる。この状態で通常９５デシベル程度の騒音検出値となる。そのため、糊付ロール８を中芯紙ｎからわずかに離すと共に、隙間ｄを狭める。このようにして、糊付部ｆの騒音検出値＝設定値となった所で、隙間σ及び隙間ｄを固定する。これによって、中芯紙ｎの断紙のおそれがなく、かつ中芯紙ｎの段頂部に最適量の糊転位を可能とする隙間σ及び隙間ｄを設定することができる。
【００６８】
本実施形態によれば、前記実施形態１及び２と同様の作用効果を得ることができる。騒音検出器４１は、振動検出器３１と同様、簡易な構造であるので、一層の設備の簡略化と低コスト化を可能とする。
【００６９】
(実施形態４)
次に、第４の本発明の一実施形態を図５に基づいて説明する。図５において、図１と同一符号を付した部材又は機器は、図１と同一であるので、これら部材又は機器の説明を省略する。本実施形態では、前記実施形態１〜３と比べて、糊付ロール８が下流側段ロール５と接触することによって下流側段ロール５から受ける反力を検出する反力検出器５１を設けたものである。そして、コントローラ４０で、反力検出器５１、周速度ｖ１検出器２５及び周速度ｖ２検出器２６の検出信号を入力し、これらの検出値に基づいてアクチュエータ２１又は２２を制御することにより、隙間σ又は隙間ｄを調整するようにしている。その他の構成は、前記実施形態１〜３と同一である。
【００７０】
隙間σと糊付ロール８が下流側段ロール５から受ける押付反力とは相関関係がある。即ち、隙間σ＜中芯紙紙厚ｔの時は、押付反力は小さく、隙間σ≦中芯紙紙厚ｔの時は押付反力が大きくなる。そのため、中芯紙ｎの破断のそれがなく且つ中芯紙ｎへの糊転位量が適正となる隙間σの時の押付反力の設定値を予め決めておく。
【００７１】
隙間σ及び隙間ｄを自動調節する手順は、先ず、図２（ａ）の状態、即ち、隙間σ＞中芯紙紙厚ｔの時に、糊付ロール８と下流側段ロール５を異なる周速度又は同一の周速度で回転させる。この時、押付反力の検出値＜設定値であるので、隙間σを狭める操作をしながら、同時に隙間ｄを広げる操作をする。
【００７２】
次に、隙間σ≦中芯紙紙厚ｔとなったら、押付反力の検出値＞設定値となるので、そのときは隙間σを広げる操作をすると共に、隙間σを狭める操作を行なう。このような操作をして押付反力の検出値＝設定値となった時に、隙間σ及び隙間ｄをそこで固定する。
これによって、隙間σが中芯紙紙厚ｔより糊膜分だけ大の最良値となり、中芯紙ｎの破断がなくかつ中芯紙ｎへの糊転位量が最適となる隙間σ及び隙間ｄを設定することができる。
【００７３】
本実施形態によれば、糊付ロール８が下流側段ロール５から負荷される押付反力を検出して、隙間σ及び隙間ｄを中芯紙ｎの破断を起こさず且つ適正量の糊を中芯紙ｎに転位できる値にする操作を自動化できる。従って、オーダチェンジに伴う中芯紙紙厚ｔの変更に際しても、作業員の熟練を要さず、隙間σ及び隙間ｄを適正な値とすることができる。また、隙間センサ等の余分なセンサを不要とするため、設備を簡略化でき、そのため、コストを低減でき、メンテナンスを容易にすることができる。
【００７４】
また、中芯紙ｎへの糊転位量を適正量とすることができるので、糊使用量を低減できる。そのため、ランニングコストを低減できる。また、反力検出器５１は簡易な構造であるので、一層の設備の簡略化と低コスト化を可能とする。
【００７５】
（実施形態５）
次に、第５の本発明の一実施形態を図６に基づいて説明する。図６において、図１と同一符を付した部材又は機器は、図１と同一であるので、これら部材又は機器の説明を省略する。本実施形態は、糊付ロール８の周速度ｖ１検出器２５及び下流側段ロール５の周速度ｖ２検出器２６のみを設置し、他の検出器を要しないで、隙間σ及び隙間ｄを自動設定できる実施形態である。即ち、コントローラ６０で、周速度ｖ１検出器２５及び周速度ｖ２検出器２６の検出信号を入力し、これらの検出値に基づいてアクチュエータ２１又は２２を制御することにより、隙間σ又は隙間ｄを調整するようにしている。
【００７６】
操作の手順は、図２（ａ）の状態、隙間σ＞中芯紙紙厚ｔの状態で、糊付ロール８の周速度ｖ１と下流側段ロール５の周速度ｖ２を異ならせて回転させる。この状態で，隙間σを狭めると共に、同時に隙間ｄを広げる操作をする。次に、隙間σ≦中芯紙紙厚ｔとなった時には、糊付ロール８の周速度ｖ１と下流側段ロール５の周速度ｖ２とは同等域となる。そこで隙間σ及び隙間ｄを固定する。
【００７７】
かかる操作によって、隙間σが中芯紙紙厚ｔより糊膜分だけ大の最良値となり、中芯紙ｎの破断がなくかつ糊付ロール８から適正量の糊を中芯紙ｎに転位できる隙間ｄの寸法とすることができる。なお、ｖ１＝ｖ２となった時に隙間σ及び隙間ｄを固定するのが理想であるが、実際には変動幅があるので、許容範囲をもうけて、ｖ１≒（０．９５〜１．０２）×ｖ２のときにｖ１とｖ２とが同等域になったとみなして、そこで隙間σ及び隙間ｄを固定する。
【００７８】
本実施形態によれば、糊付ロール８及び下流側段ロール５の周速度を検出することにより、中芯紙ｎの破断を起こさずかつ適正な糊量を中芯紙ｎに転位できる操作を自動化できる。従って、オーダチェンジに伴う中芯紙紙厚ｔの変更に際しても迅速に対応することができる。この操作に作業員の熟練を要しない。
【００７９】
また、速度センサのみの設置で済み、隙間センサ等の余分なセンサを不要とするため、設備を簡略化でき、そのため、コストを低減でき、メンテナンスを容易にすることができる。また、中芯紙ｎへの糊転位量を適正量とすることができるので、余分な糊を使用しないので、使用量を低減できる。そのため、ランニングコストを低減できる。
【産業上の利用可能性】
【００８０】
本発明によれば、オーダチェンジに伴う中芯紙紙厚の変更に際しても、シングルフェーサの糊付ロールと下流側段ロール間の隙間をオンラインで自動調整可能にすると共に、糊付ロールから下流側段ロールに転位する糊量を適正量とすることができるので、糊使用量を低減してランニングコストを低減することができる。
【図面の簡単な説明】
【００８１】
【図１】第１の本発明の一実施形態に係るシングルフェーサの側面図である。
【図２】図１の一部拡大図である。
【図３】第２の本発明の一実施形態に係るシングルフェーサの側面図である。
【図４】第３の本発明の一実施形態に係るシングルフェーサの側面図である。
【図５】第４の本発明の一実施形態に係るシングルフェーサの側面図である。
【図６】第５の本発明の一実施形態に係るシングルフェーサの側面図である。
【図７】従来のシングルフェーサの側面図である。
【図８】従来のシングルフェーサの糊付装置の平面図である。
【符号の説明】
【００８２】
１          シングルフェーサ
４          上流側段ロール（下段ロール）
５          下流側段ロール（上段ロール）
８          糊付ロール
９          ドクタロール
２１        アクチュエータ（第１の移動装置）
２２        アクチュエータ（第２の移動装置）
２４        駆動トルク検出器
２５        周速度ｖ１検出器
２６        周速度ｖ２検出器
２７、３０、４０、５０、６０    コントローラ
３１        振動検出器
４１        騒音検出器
５１        反力検出器
ｄ          隙間（第２の隙間）
ｆ          糊付部
ｋ          片面段ボール紙
ｎ          中芯紙
ｔ          中芯紙紙厚
ｕ          裏ライナ紙
ｖ１        糊付ロール８の周速度
ｖ２        下流側段ロール５の周速度
σ          隙間（第１の隙間）
【図１】
2009126103.tif 000003
【図２】
2009126103.tif 000004
【図３】
2009126103.tif 000005
【図４】
2009126103.tif 000006
【図５】
2009126103.tif 000007
【図６】
2009126103.tif 000008
【図７】
2009126103.tif 000009
【図８】
2009126103.tif 000010